(57)【要約】【課題】インターフェイス装置、そのようなインターフェイス装置を備えたコンピュータシステム、及びそのようなインターフェイス装置を組み立てる方法を提供する。【解決手段】インターフェイス装置（１）は、インターフェイスボード（３）上に配置されたプラグコネクタ（４）を有する。更に、インターフェイス装置は、プラグコネクタを少なくとも部分的に囲む導電性カバー（１０）を有する。導電性カバーは、プラグコネクタが配置され得る筐体のインターフェイス開口を電磁放射に対して閉じるよう構成される。導電性カバーは、掛け金装置を備えた少なくとも１つのタブ（１９）を有する。インターフェイスボードは、少なくとも１つの受容装置を有し、受容装置は、少なくとも１つのタブを受け入れ、掛け金装置と掛合するよう構成される。【選択図】図１
2019212627.tif 000002
【特許請求の範囲】
【請求項１】
インターフェイスボード上に配置されるプラグコネクタと、
前記プラグコネクタを少なくとも部分的に囲む導電性カバーであり、前記プラグコネクタが配置され得る筐体のインターフェイス開口を電磁放射に対して閉じるよう構成される前記導電性カバーと
を有し、
前記導電性カバーは、掛け金装置を備えた少なくとも１つのタブを有し、
前記インターフェイスボードは、前記少なくとも１つのタブを受け入れ且つ前記掛け金装置と掛合するよう構成される少なくとも１つの受容装置を有する、
インターフェイス装置。
【請求項２】
前記少なくとも１つの受容装置は、スロット形状の凹所として構成され、前記少なくとも１つのタブが挿入方向に沿って前記スロット形状の凹所に挿入可能であるようにし、
前記掛け金装置は、前記タブ上で前記挿入方向に垂直な方向において突起として構成される、
請求項１に記載のインターフェイス装置。
【請求項３】
前記インターフェイスボードは、少なくとも１つの第１開口を有し、
前記導電性カバーは、少なくとも１つの第２開口を有し、
前記少なくとも１つの第１開口及び前記少なくとも１つの第２開口は、前記掛け金装置が前記受容装置と掛合されるときに同軸に互いに重なって配置される、
請求項１又は２に記載のインターフェイス装置。
【請求項４】
前記少なくとも１つの第１開口は、少なくとも１つの接地接点によって取り囲まれ、
前記少なくとも１つの接地接点は、前記掛け金装置が前記受容装置と掛合されるときに前記少なくとも１つの接地接点が前記導電性カバーの一部と接触するように構成される、
請求項３に記載のインターフェイス装置。
【請求項５】
前記プラグコネクタは、前記インターフェイスボードの第１側辺上のフロントエリアに配置され、
前記少なくとも１つの受容装置は、前記インターフェイスボードの少なくとも１つの他の側辺の少なくとも１つのエリアに配置され、
前記導電性カバーは、前記少なくとも１つの受容装置の方向に前記導電性カバーの主延在面から延在する少なくとも１つの側腕部を有し、
前記少なくとも１つのタブは、前記少なくとも１つの側腕部の自立した端部に配置される、
請求項１乃至４のうちいずれか一項に記載のインターフェイス装置。
【請求項６】
前記少なくとも１つの側腕部は、前記第１側辺を３つの面で取り囲むＵ字形の凹所を前記インターフェイスボードの前記フロントエリアにおいて有する、
請求項５に記載のインターフェイス装置。
【請求項７】
前記導電性カバーの上には、導電性ガスケットも取り付けられ、該導電性ガスケットは、前記導電性カバーと、当該インターフェイス装置が配置される筐体との間の電気接触を形成するよう構成される、
請求項１乃至６のうちいずれか一項に記載のインターフェイス装置。
【請求項８】
前記導電性カバーは、ばね鋼から少なくとも部分的に製造される、
請求項１乃至７のうちいずれか一項に記載のインターフェイス装置。
【請求項９】
筐体と、
請求項１乃至８のうちいずれか一項に記載の少なくとも１つのインターフェイス装置と
を有し、
前記インターフェイス装置は、前記導電性カバーによって電磁放射に対して閉じられるインターフェイス開口を前記筐体が有する該筐体のエリアに配置される、
コンピュータシステム。
【請求項１０】
システムボードを更に有し、該システムボード上には、少なくとも１つのアタッチメント装置が配置され、
前記導電性カバー及び前記インターフェイスボードは、前記少なくとも１つのアタッチメント装置に取り付けられるよう構成される、
請求項９に記載のコンピュータシステム。
【請求項１１】
インターフェイス装置を組み立てる方法であって、前記インターフェイス装置は、プラグコネクタと、該プラグコネクタを少なくとも部分的に囲む導電性カバーとを有し、該導電性カバーは、前記プラグコネクタが配置され得る筐体のインターフェイス開口を電磁放射に対して閉じるよう構成される、前記方法において、
少なくとも１つの受容装置を有するインターフェイスボードに前記プラグコネクタを取り付けることと、
掛け金装置を有する少なくとも１つのタブによって前記インターフェイスボードに前記導電性カバーを取り付けることと
を有し、
前記少なくとも１つのタブは、前記少なくとも１つの受容装置において受け入れられ、
前記少なくとも１つの掛け金装置は、前記少なくとも１つの受容装置と掛合する、
方法。
【発明の詳細な説明】
【技術分野】
【０００１】
本発明は、インターフェイスボード上に配置されたプラグコネクタを有するインターフェイス装置に関係がある。更には、本発明は、そのようなインターフェイス装置を備えたコンピュータシステムと、そのようなインターフェイス装置を組み立てる方法とを有する。
【背景技術】
【０００２】
コンピュータシステムの筐体は、インターフェイス装置のプラグコネクタが配置されるインターフェイス開口をしばしば有する。このようなインターフェイス開口に伴う問題は、それらがコンピュータ筐体の電磁遮へいにおけるウィークポイントに相当する点である。電磁放射は、筐体に入ること及び／又は筐体からインターフェイス開口を通って表に出ることができる。
【発明の概要】
【０００３】
本発明の目的は、上記の問題を解決又は緩和するインターフェイス装置、コンピュータシステム、及びインターフェイス装置を組み立てる方法を記載することである。
【０００４】
第１の態様に従って、上記の目的は、インターフェイスボード上に配置されたプラグコネクタを有するインターフェイス装置によって達成される。当該インターフェイス装置は、前記プラグコネクタを少なくとも部分的に囲む導電性カバーを更に有する。該導電性カバーは、前記プラグコネクタが配置され得る筐体のインターフェイス開口を電磁放射に対して閉じるよう構成される。前記導電性カバーは、掛け金装置を備えた少なくとも１つのタブを有する。前記インターフェイスボードは、前記少なくとも１つのタブを受け入れ且つ前記掛け金装置と掛合するよう構成される少なくとも１つの受容装置を有する。
【０００５】
前記掛け金装置を備えた前記少なくとも１つのタブ、及び前記少なくとも１つの受容装置は、ツールによらずに前記導電性カバーと前記インターフェイスボードとの接続又は分離を容易にする。前記導電性カバーは、よって、例えば、ねじ、びょう、又は接着剤のような接続手段がこのために必要とされることなしに、前記インターフェイスボード上で予め取り付けられ得る。このように前もって取り付けることは、例えば、部品を１つの製造場所から、部品が最終的に組み立てられるべきである場所へ輸送するのに適切である。
【０００６】
少なくとも１つの構成において、前記インターフェイスボードは、少なくとも１つの第１開口を有する。前記導電性カバーは、少なくとも１つの第２開口を有する。前記少なくとも１つの第１開口及び前記少なくとも１つの第２開口は、前記掛け金装置が前記受容装置と掛合されるときに同軸に互いに重なって配置される。
【０００７】
この場合に、前記導電性カバーを前記インターフェイスボードに予め取り付けることは、最終的な組み立てにおいて、それら２つの部品の、例えば、コンピュータシステムのシステムボードへの簡単且つ時間節約的な取り付けも可能にすることが有利である。前記導電性カバー及び前記インターフェイスボードは、ねじが前記少なくとも１つの第１開口及び前記少なくとも１つの第２開口を同時に貫通され得るように、前もって取り付けることによって位置を合わせられる。
【０００８】
少なくとも１つの構成において、前記プラグコネクタは、前記インターフェイスボードの第１側辺上のフロントエリアに配置される。前記少なくとも１つの受容装置は、前記インターフェイスボードの少なくとも１つの他の側辺の少なくとも１つのエリアに配置される。前記導電性カバーは、前記少なくとも１つの受容装置の方向において前記導電性カバーの主延在面から延在する少なくとも１つの側腕部を有する。前記少なくとも１つのタブは、前記少なくとも１つの側腕部の自立した端部に配置される。
【０００９】
前記導電性カバーは、前記インターフェイスボードへこのようにして安定して接続され得る。更には、前記受容装置が前記カバーの主延在面からどれくらい離れて位置するかにかかわらず、前記インターフェイスボードのボードレイアウトに従って自由な点に前記受容デバイスを配置することが、よって可能である。
【００１０】
少なくとも１つの構成において、前記少なくとも１つの側腕部は、前記第１側辺を３つの面で取り囲むＵ字形の凹所を前記インターフェイスボードの前記フロントエリアにおいて有する。
【００１１】
これは、前記インターフェイスボード上に前記導電性カバーの限界停止を提供し、当該インターフェイス装置における前記導電性カバーの更なる安定性を確かにする。例えば、前記導電性カバーは、前記インターフェイスボード上で前記第１側辺に当接する。この限界停止はまた、前記カバーが当該インターフェイス装置に導入されるときに、それが限界停止方向において前記導電性カバーの前記少なくとも１つのタブを前記インターフェイスボードの前記受容装置にアライメントして、前記少なくとも１つのタブと前記少なくとも１つの受容装置との複雑でない接続が可能にされるようにするということで、有利である。
【００１２】
少なくとも１つの構成において、前記導電性カバーは、ばね鋼から少なくとも部分的に製造される。
【００１３】
これは、特に、前記少なくとも１つのタブのエリアにおいて、前記導電性カバーの弾性変形を可能にし、それにより、前記少なくとも１つの受容装置に対する前記少なくとも１つのタブの繰り返される接続及び分離でさえも前記カバーの永久的な変形を引き起こさないようにする。
【００１４】
第２の態様に従って、上記のタスクは、筐体と、第１の態様に従う少なくとも１つのインターフェイス装置とを有するコンピュータシステムによって解消される。前記インターフェイス装置は、前記筐体がインターフェイス開口を有する該筐体のエリアに配置される。
【００１５】
少なくとも１つの構成において、当該コンピュータシステムはシステムボードを更に有し、該システムボード上には、少なくとも１つのアタッチメント装置が配置され、前記導電性カバー及び前記インターフェイスボードが、前記少なくとも１つのアタッチメント装置に取り付けられるよう構成される。
【００１６】
ここで、前記導電性カバー及び前記インターフェイスボードは、前記システムボードに同時に取り付けられ得ることが有利である。例えば、前記アタッチメント装置は、前記導電性カバー及び前記インターフェイスボードがねじによって前記アタッチメント装置に取り付けられ得るように、雌ねじを有する。代替的に、前記アタッチメント装置は、例えば、開口として構成され、それを通じてねじが、筐体ベースに取り付けられるために導かれ得る。組み立てのための時間消費は、例えば、このようにして削減される。特に、前記少なくとも１つのアタッチメント装置は接地され、少なくとも１つの前記ねじは導電性であり、それにより、前記導電性カバーは前記少なくとも１つのねじを介して前記アタッチメント装置の接地へ接続される。接地接点は、このようにして、単一のねじを介して直接に前記カバーと前記アタッチメント装置との間に保証される。これは、低い伝達抵抗、及びよって、前記カバーの良好な接地を確かにする。
【００１７】
第３の態様に従って、上記のタスクは、インターフェイス装置を組み立てる方法によって解消される。前記インターフェイス装置は、プラグコネクタと、該プラグコネクタを少なくとも部分的に囲む導電性カバーとを有し、該導電性カバーは、前記プラグコネクタが配置され得る筐体のインターフェイス開口を電磁放射に対して閉じるよう構成される。当該方法は：
・  少なくとも１つの受容装置を有するインターフェイスボード（３）に前記プラグコネクタを取り付けるステップ；及び
・  掛け金装置を有する少なくとも１つのタブ（１９）によって前記インターフェイスボード（３）に前記導電性カバー（１０）を取り付けるステップ
を有し、前記少なくとも１つのタブ（１９）は、前記少なくとも１つの受容装置において受け入れられ、前記少なくとも１つの掛け金装置は、前記少なくとも１つの受容装置と掛合する。
【００１８】
他の有利な構成は、添付の特許請求の範囲及び添付の図面の以下の説明において記載される。図中、同じ参照符号は、実質的に同じ機能を持った要素について使用されるが、それらの要素は、一部始終同じである必要はない。
【図面の簡単な説明】
【００１９】
【図１】本発明の第１の構成に従って、システムボード上のインターフェイス装置の分解組立図を示す。
【図２】図１に従うインターフェイス装置の側面図を示す。
【図３】図１に従うインターフェイス装置の組み立ての様々な状態Ａ〜Ｄを示す。
【図４】本発明の第２の構成に従うインターフェイス装置を示す。
【図５】本発明の第３の構成に従うインターフェイス装置を示す。
【発明を実施するための形態】
【００２０】
図１乃至３は、様々な状態及びビューにおいて本発明の第１の構成に従うインターフェイス装置１を示す。インターフェイス装置１に加えて、図１は、システムボード２の一部を示し、システムボード２上にはインターフェイス装置１が配置され得る。以下で、図１乃至３は、まとめて説明される。
【００２１】
インターフェイス装置１は、インターフェイスボード３及び導電性カバー１０を有する。インターフェイスボード３上には、ビデオグラフィクスアレイ（Video  Graphics  Array）（ＶＧＡ）標準に従うプラグコネクタ４がはんだ付けされる。プラグコネクタ４は、機械的且つ電気的にフロントエリアＸにおいてインターフェイスボード３へ接続される。フロントエリアＸは、インターフェイスボード３の第１側辺５のエリアにある。インターフェイスボード３はまた、インターフェイスエレクトロニクスを備えるが、これはここでは図示されていない。インターフェイスボード３は、インターフェイス標準に関してコンピュータシステムのモジュール構造を可能にする。そのようなインターフェイスボード３は、プラグコネクタ４とシステムボード２との間の連結具に相当するものであり、異なるインターフェイス装置を、所望のインターフェイス標準に従って、同じシステムボード２を備えたコンピュータシステムに組み込むことを可能にする。
【００２２】
第１側辺５に隣接して位置する第２側辺６上及び第２側辺６の反対に位置する第３側辺上には、インターフェイスボード３がいずれの場合にもスロット形状の凹所８を有している。インターフェイスボード３はまた、２つの第１開口９を有し、そのうちの一方は第２側辺６のエリアＹに、他方は第３側辺７のエリアＺに配置されている。
【００２３】
導電性カバー１０は、遮へい板１１及び２つの側腕部１２から成る。側腕部１２は、スロット形状の凹所８の方向に第２側辺６及び第３側辺７に沿って遮へい板１１の両端から延在する。遮へい板１１から見て外方を向く側腕部１２の端部で、側腕部１２は、インターフェイスボード３に向かって角度をつけられたタブ１９を有している。タブ１９は、それらが挿入方向Ｅに沿ってスロット形状の凹所８の中に挿入され得るように構成される。
【００２４】
挿入方向Ｅと垂直に、タブ１９は突起２０を有している。突起２０は、タブ１９がスロット形状の凹所８の中に完全に挿入されるときに、側腕部１２から見て外方を向くインターフェイスボード３の面上で突起２０が飛び出るように、タブ１９上に配置される。突起２０は、突起２０を備えたタブ１９がスロット形状の凹所８の中に挿入され得る程度までタブ１９から突き出て、タブ１９が完全に挿入されるときに、突起２０は、スロット形状の凹所８からのタブ１９の自由な解除を防ぐ。
【００２５】
導電性カバー１０は、ばね鋼から製造される。導電性カバー１０は、よって、可塑的に変形されずにインターフェイス装置１の組み立て中に弾性的に曲げられ得る。
【００２６】
遮へい板１１は第３開口１３を有し、それにプラグコネクタ４の接続部１４が通され得る。更には、遮へい板１１は２つの第４開口１５を有し、それを通じて取付ボルト１６が、プラグへのプラグコネクタ４の機械的結合のために導かれ得る。また、インターフェイスボード３から見て外方を向く遮へい板１１の側には、フロントパネル３２が取り付けられる。フロントパネル３２は、カバー１０の遮へい板１１に平行に延在し、４つの圧接点１７でカバー１０に押し付けられる。フロントパネル３２は、第３開口１３及び第４開口１５を同様に有し、更なる遮へい及び安定性に役立つ。
【００２７】
更に、インターフェイスボード３から見て外方を向く遮へい板１１の側には、“ガスケット”としても知られている導電性シール１８が接着される。ガスケット１８は、遮へい板１１上でエッジ領域に位置する。インターフェイス装置１が、例えば、コンピュータシステムの、筐体に組み込まれる場合に、ガスケット１８は、筐体を内部から圧迫し、よって、筐体と導電性カバー１０との間に電気接触を形成する。
【００２８】
遮へい板１１はまた、接触舌３３を有し、接触舌３３は、プラグコネクタ４の方向に前に曲げられる。それらの接触舌３３は、プラグコネクタ４と接し、このようにして、更に、電磁放射の放射又は捕捉を減らす。接触舌３３もばね鋼から製造されるので、それらは同様に弾性変形可能である。接触舌３３はプラグコネクタ４の方向に前に曲げられるので、カバー１０及びプラグコネクタ４の接触は、インターフェイス装置１における許容誤差の場合でさえ、確かにされる。
【００２９】
遮へい板１１から見て外方を向く側腕部１２の端部で、側腕部１２はまた、インターフェイスボード３の主延在面と平行に延在する突起２１を有する。それらの突起２１は、夫々が第２開口２２を有している。第２開口２２及び第１開口９は、タブ１９がスロット形状の凹所８の中に挿入されるときに同軸に互いに重なって位置する。
【００３０】
２つの第１開口９には夫々、インターフェイスボード３のスリーブ形状の接地接点２３が配置される。スリーブ形状の接地接点２３は、タブ１９がスロット形状の凹所８に差し込まれるときに突起２１に当たる。電気接触は、このようにして、導電性カバー１０と接地接点２３との間に形成される。
【００３１】
遮へい板１１に面した側腕部１２の端部で、側腕部１２は夫々、第１側辺５の方向に開いている、インターフェイスボード３の高さにあるＵ字形の凹所２８を有する。このＵ字形の凹所２８は、タブ１９がスロット形状の凹所８に差し込まれるときに第１側辺５が側腕部１２に触れるように寸法決めされる。これは、インターフェイスボード３に対する導電性カバー１０の更なる安定性及び滑動抵抗を提供する。
【００３２】
エアギャップ３１が、インターフェイスボード３の上側２９及び下側３０とＵ字形の凹所２８との間に存在する。それらは、スロット形状の凹所８へのタブ１９の導入のためにインターフェイスボード３に対する導電性カバー１０の傾斜を可能にする。これは、状態Ｂ及びＣによって図３に示されている。
【００３３】
インターフェイス装置１に加えて、図１はシステムボード２の一部を示し、それにインターフェイス装置１は取り付けられ得る。インターフェイス装置１を機械的に取り付けるよう、２つのスペーサボルト２４がシステムボード上に実装され、それらは夫々、雌ねじ２５を有している。スペーサボルト２４は、インターフェイスボード３の方向を指し、スペーサボルトの雌ねじ２５が第１開口９及び第２開口２２の真下に同軸に位置するように間隔をあけられる。インターフェイス装置１の全体は、このようにして、ねじ２６によってシステムボード２に取り付けられ得る。ねじ２６は夫々、第１開口９及び第２開口２２を通って導かれ、雌ねじ２５にねじ込まれる。ただ１つのねじしか、ここではいずれの場合にも、導電性カバー１０及びインターフェイスボード３の両方を一点でシステムボード２へ接続するために使用されない。
【００３４】
システムボード２へのインターフェイス装置１の電気接続のために、システムボード２はエッジコネクタ２７を有し、エッジコネクタは、インターフェイスボード３上にある対応する相手方（図示せず。）へ接続される。
【００３５】
図４及び５は、本発明の第２及び第３の構成に従うインターフェイス装置１を示す。図４は、デジタルビジュアルインターフェイス（Digital  Visual  Interface）（ＤＶＩ）標準に従うプラグコネクタ４を備えたインターフェイス装置１を示す。図５は、高精細マルチメディアインターフェイス（High  Definition  Multimedia  Interface）（ＨＤＭＩ（登録商標））標準に従うプラグコネクタ４を備えたインターフェイス装置１を示す。当然、他のプラグコネクタでさえ、たとえ非グラフィカルインターフェイスのものであっても、このようなインターフェイス装置において類推によって使用され得る。所望のプラグコネクタを備えたインターフェイスボードが、コンピュータシステムにおける組み込みのために、必要に応じて選択され得る。それらは、図１に示されるシステムボード２へ交換可能に取り付けられ得る。異なるインターフェイス標準に従う様々なインターフェイスが、このようにして、システムボード２を備えたコンピュータシステムにおいてモジュール様式で組み込まれ得る。所望のインターフェイス標準に応じて、適切なインターフェイスボード３が、対応するプラグコネクタ４及び適合するカバー１０とともに選択される。
【００３６】
図４及び５に従うインターフェイス装置１の図は、図１乃至３に従うインターフェイス装置１の図に実質的に対応する。様々な例となる実施形態の間の相違は、以下で検討される。例となる実施形態のうちの１つによって示される特徴は、良識ある様態で任意に互いと結合又は交換され得る。
【００３７】
図４に従うインターフェイス装置１は、フロントパネルが導電性カバー１０に取り付けられていない点で、図１乃至３に従うインターフェイス装置１と相違する。導電性ガスケット１８が遮へい板１１の全体にわたって延在する。ガスケット１８は、遮へい板１１の第３開口１３及び第４開口１５に対応する第３開口及び第４開口を有する。
【００３８】
図５に従うインターフェイス装置１は、ＨＤＭＩプラグコネクタ４が取付ボルトを有さないということで、遮へい板１１において第４開口を有さない。より大きい圧接点１７がよって可能であるから、２つの圧接点１７しか、この例となる実施形態では、フロントパネル３２をカバー１０に取り付けるために使用されない。この図では、導電性ガスケット１８が遮へい板１１から取り外されて表されているということで、フロントパネル３２の形が更に認識されるべきである。
【００３９】
図１乃至３に従うフロントパネル３２は、図５に表されるフロントパネル３２にその形状がおおよそ対応する。
【符号の説明】
【００４０】
１    インターフェイス装置
２    システムボード
３    インターフェイスボード
４    プラグコネクタ
５    第１側辺
６    第２側辺
７    第３側辺
８    スロット形状の凹所
９    第１開口
１０  導電性カバー
１１  遮へい板
１２  側腕部
１３  第３開口
１４  プラグコネクタの接続部
１５  第４開口
１６  取付ボルト
１７  圧接点
１８  導電性ガスケット
１９  タブ
２０  突起
２１  突起
２２  第２開口
２３  接地接点
２４  スペーサボルト
２５  雌ねじ
２６  ねじ
２７  エッジコネクタ
２８  Ｕ字形の凹所
２９  インターフェイスボードの上側
３０  インターフェイスボードの下側
３１  エアギャップ
３２  フロントパネル
３３  接触舌
Ａ    状態
Ｂ    状態
Ｃ    状態
Ｄ    状態
Ｅ    挿入方向
Ｘ    フロントエリア
Ｙ    第２側辺のエリア
Ｚ    第３側辺のエリア
【図１】
2019212627.tif 000003
【図２】
2019212627.tif 000004
【図３】
2019212627.tif 000005
【図４】
2019212627.tif 000006
【図５】
2019212627.tif 000007